(57)【要約】【課題】高い電気的信頼性で実装可能な駆動用ＩＣを提供する。【解決手段】駆動用ＩＣ４は複数の入力用バンプ電極端子１０及び複数の出力用バンプ電極端子１１を有する。出力用バンプ電極端子１１の端子群は、駆動用ＩＣ４の一辺に対して各々平行に一直線状に配列され、各々第１端子面を有する複数の内側端子１２と、内側端子１２の列よりも外側に、各々内側端子１２の列に対して並行に一直線状に配列され、各々第１端子面よりも大きな面積の第２端子面を有する複数の外側端子１３とを有する。【選択図】図２
2006337829.tif 000002
【特許請求の範囲】
【請求項１】
複数の入力端子及び複数の出力端子を有する矩形状の駆動用ＩＣであって、
上記複数の入力端子及び複数の出力端子のうち少なくとも一方の端子群は、上記駆動用ＩＣの一辺に対して各々平行に一直線状に配列され、各々第１端子面を有する複数の第１端子と、該第１端子の列よりも上記一辺寄りに、各々該第１端子の列に対して並行に一直線状に配列され、各々上記第１端子面よりも大きな面積の第２端子面を有する複数の第２端子とを有する駆動用ＩＣ。
【請求項２】
請求項１に記載された駆動用ＩＣにおいて、
上記複数の出力端子の端子群のみが上記第１端子の列と上記第２端子の列とを有し、
上記複数の入力端子の端子面の総面積の上記複数の出力端子の端子面の総面積に対する比である整合比が６０％より大きい場合には、上記第２端子面の面積が上記第１端子面の面積の７／５以上であり、
上記整合比が５０％以上６０％以下である場合には、上記第２端子面の面積が上記第１端子面の面積の７／３以上である駆動用ＩＣ。
【請求項３】
請求項１に記載された駆動用ＩＣにおいて、
上記第１端子面と上記第２端子面とは、各々一辺が上記駆動用ＩＣの一辺に対して平行な矩形状であり、上記第２端子面の上記駆動用ＩＣの一辺に対して直交する方向に延びる他辺が上記第１端子面の同他辺よりも長い駆動用ＩＣ。
【請求項４】
請求項３に記載された駆動用ＩＣにおいて、
上記複数の出力端子の端子群のみが上記第１端子の列と上記第２端子の列とを有し、
上記複数の入力端子の端子面の総面積の上記複数の出力端子の端子面の総面積に対する比である整合比が６０％より大きい場合には、上記第２端子面の上記駆動用ＩＣの一辺に対して直交する方向に延びる他辺の長さが上記第１端子面の同他辺の長さの７／５以上であり、
上記整合比が５０％以上６０％以下である場合には、上記第２端子面の他辺の長さが上記第１端子面の他辺の長さの７／３以上である駆動用ＩＣ。
【請求項５】
請求項１に記載された駆動用ＩＣにおいて、
上記第１端子の各々と上記第２端子の各々とが上記駆動用ＩＣの一辺に沿って千鳥状に配置されている駆動用ＩＣ。
【請求項６】
請求項１に記載された駆動用ＩＣが実装された表示装置。
【発明の詳細な説明】
【技術分野】
【０００１】
本発明は駆動用ＩＣ及びそれが実装された表示装置に関する。
【背景技術】
【０００２】
一般的に液晶表示装置等に代表される表示装置には複数の駆動用集積回路（駆動用ＩＣ）が異方性導電接着剤により実装されている。近年、表示装置の高精細化が進むにつれて、駆動用ＩＣに対しても高精細化が強く求められるようになってきている。高精細な駆動用ＩＣとして、例えば特許文献１等には、二列に配列された出力端子を有する駆動用ＩＣが開示されている。
【０００３】
図５は二列に配列された出力端子を有する従来の駆動用ＩＣ１００の底面図である。
【０００４】
図５に示すように、矩形状の駆動用ＩＣ１００は複数の入力端子１０１と複数の出力端子１０２とを有する。複数の入力端子１０１は矩形状に形成された駆動用ＩＣ１００の一方の長辺に沿って一列に配列されている。一方、複数の出力端子１０２は他方の長辺に沿って二列に配列されている。駆動用ＩＣ１００では、出力端子１０２のうち内側の端子列の端子面と外側の端子列の端子面とは同一形状（同一面積）である。
【特許文献１】特開２００４−２５２４６６号公報
【発明の開示】
【発明が解決しようとする課題】
【０００５】
しかしながら、駆動用ＩＣ１００を表示装置等に実装した場合、出力端子１０２のうち外側の端子列の接続不良が生じる可能性が高いという問題がある。
【０００６】
本発明は、係る点に鑑みてなされたものであり、その目的とするところは、高い電気的信頼性で実装可能な駆動用ＩＣを提供することにある。
【課題を解決するための手段】
【０００７】
本発明者らは、誠意研究の結果、出力端子のうち外側の端子列に印加される圧力が低くなるために外側の端子列の接続不良が起こりやすくなること、及びその傾向が整合比が小さくなるにつれて増大することを見出した。また、外側の端子列の端子面の面積を大きくすることにより接続不良を抑制することを見出し、本発明を成すに至った。
【０００８】
本発明に係る駆動用ＩＣは、複数の入力端子及び複数の出力端子を有する矩形状である。本発明に係る駆動用ＩＣは、異方性導電接着剤等により表示装置等に実装され、表示装置等を駆動するためのものである。
【０００９】
本発明に係る駆動用ＩＣでは、複数の入力端子及び複数の出力端子のうち少なくとも一方の端子群が複数の第１端子及び複数の第２端子を有する。複数の第１端子は駆動用ＩＣの一辺に対して各々平行に一直線状に配列されている。複数の第１端子の各々は第１端子面を有する。複数の第２端子は第１端子の列よりも外側（上記一辺寄り）に設けられている。複数の第２端子は第１端子の列に対して並行に一直線状に配列されている。複数の第２端子の各々は第１端子面よりも大きな面積の第２端子面を有する。
【００１０】
本発明に係る駆動用ＩＣのように、駆動用ＩＣの外側（上記一辺寄り）に設けられた第２端子の第２端子面の面積を大きくすることにより、実装された場合に第２端子の接続不良の発生を効果的に抑制することができる。従って、本発明に係る駆動用ＩＣは高い電気的信頼性で実装可能である。
【００１１】
本発明に係る駆動用ＩＣでは、複数の出力端子の端子群のみが第１端子の列と第２端子の列とを有していてもよい。この場合、整合比が６０％より大きい場合には、第２端子面の面積が第１端子面の面積の７／５以上であり、整合比が５０％以上６０％以下である場合には、第２端子面の面積が第１端子面の面積の７／３以上であることが好ましい。尚、本明細書において、「整合比」とは、複数の入力端子の端子面の総面積の複数の出力端子の端子面の総面積に対する比である。
【００１２】
本発明に係る駆動用ＩＣでは、第１端子面と第２端子面とは、各々一辺が駆動用ＩＣの一辺に対して平行な矩形状であり、第２端子面の駆動用ＩＣの一辺に対して直交する方向に延びる他辺が第１端子面の同他辺（第１端子面の駆動用ＩＣの一辺に対して直交する方向に延びる他辺）よりも長くてもよい。この構成にすることによって、第２端子面の面積を第１端子面の面積よりも大きくすることができる。
【００１３】
複数の出力端子の端子群が第１端子の列と第２端子の列とを有していてもよい。その場合、整合比が６０％より大きい場合には、第２端子面の駆動用ＩＣの一辺に対して直交する方向に延びる他辺の長さが第１端子面の同他辺（第１端子面の駆動用ＩＣの一辺に対して直交する方向に延びる他辺）の長さの７／５以上であり、整合比が５０％以上６０％以下である場合には、第２端子面の他辺（第２端子面の駆動用ＩＣの一辺に対して直交する方向に延びる他辺）の長さが第１端子面の他辺（第１端子面の駆動用ＩＣの一辺に対して直交する方向に延びる他辺）の長さの７／３以上であることが好ましい。
【００１４】
本発明に係る駆動用ＩＣでは、第１端子の各々と第２端子の各々とが駆動用ＩＣの一辺に沿って千鳥状に配置されていることが好ましい。そうすることによって、第１端子及び第２端子への配線（特に第２端子への配線）が容易となる。
【００１５】
本発明に係る表示装置は本発明に係る駆動用ＩＣが実装されたものである。本発明に係る表示装置は、例えば、液晶表示装置、有機エレクトロルミネッセンス表示装置、無機エレクトロルミネッセンス表示装置、プラズマ表示装置、フィールドエミッション表示装置等であってもよい。
【００１６】
上述のように本発明に係る駆動用ＩＣは高い電気的信頼性で実装可能である。このため、本発明に係る駆動用ＩＣが実装された表示装置は高い電気的信頼性を有する。
【発明の効果】
【００１７】
以上説明したように、本発明によれば、実装工程における第２端子の接続不良を抑制することができるので、例えば表示装置等に高い電気的信頼性で実装することができる駆動用ＩＣを実現することができる。
【発明を実施するための最良の形態】
【００１８】
以下、本発明の実施形態について、図面を参照しながら詳細に説明する。
【００１９】
（実施形態１）図１は本実施形態１に係る液晶表示装置１の要部の構成を模式的に表す平面図である。
【００２０】
液晶表示装置１は、大小一対の基板６ａ、６ｂと、一対の基板６ａ、６ｂの間に封入された液晶層（図示せず）とを有する。大きい方の基板６ｂは表示回路基板（アクティブマトリクス基板）である。大きい方の基板６ｂと小さい方の基板６ａとが重畳する領域が表示領域２を構成しており、表示領域２からはみ出した基板６ｂの部分はＩＣ実装領域３を構成している。駆動用ＩＣ４はこのＩＣ実装領域３にベアチップ実装されている。詳細には、駆動用ＩＣ４には突起状のボンディング用バンプ電極端子（以下、「バンプ電極端子」と略称する。）が設けられている。このバンプ電極端子が液晶パネル側の表示回路基板上のボンディング用電極パッド（以下、「電極パッド」と略称する）にフェイスダウンボンディング接続されている。
【００２１】
ＩＣ実装領域３には、データ信号線（図示せず）、走査信号線（図示せず）に入力する信号、電源等を外部回路から供給するためのフレキシブル配線基板（以下、「ＦＰＣ基板」と略称する）５が接続されている。また、ＩＣ実装領域３には、各信号線（データ信号線、走査信号線等）に接続された複数の電極パッド（図示せず）と、駆動用ＩＣ４に信号及び電源を入力するための複数の入力配線（図示せず）と、これらの入力配線の信号出力端に電気的に接続された複数の電極パッド（図示せず）と、入力配線の信号入力端に電気的に接続された複数のＦＰＣ入力端子（図示せず）とがそれぞれ形成されており、ＦＰＣ基板５はＦＰＣ入力端子に電気的に接続されている。
【００２２】
図２は駆動用ＩＣ４の背面図である。
【００２３】
図２に示すように、駆動用ＩＣ４の背面側には、ＩＣ実装領域３上の信号線に接続された電極パッド（図示せず）及び入力配線の各信号出力端に接続された電極パッド（図示せず）にそれぞれ対応するように、複数のバンプ電極端子１０、１１が設けられている。一方、表示回路基板６ｂのＩＣ実装領域３と駆動用ＩＣ４との間には、導電性微粒子が絶縁性接着剤中に分散混入された異方性導電接着剤（ＡＦＣ、図示せず）が介在している。このＡＦＣにより、駆動用ＩＣ４は表示回路基板６ｂに機械的に固定されると共に、ＡＦＣに分散混入された導電性微粒子により駆動用ＩＣ４のバンプ電極端子１０、１１と表示回路基板６ｂ上に設けられた電極パッド（図示せず）とが電気的に接続される。
【００２４】
以下、図２を参照しながら駆動用ＩＣ４のバンプ電極端子１０、１１の構造について詳細に説明する。駆動用ＩＣ４には、入力端子としての入力用バンプ電極端子１０と、出力端子としての出力用バンプ電極端子１１とが設けられている。入力用バンプ電極端子１０は駆動用ＩＣ４の一方の長辺に沿って一直線状に配列されている。一方、出力用バンプ電極端子１１は上記一方の長辺に対向する他方の長辺に沿って二列に相互に平行に一直線状に（マトリクス状に）配列されている。このように、出力用バンプ電極端子１１を二列に配列することによって、単位面積あたりに設けることができる出力用バンプ電極端子１１の数量を多くすることができる。このため、高精細な駆動用ＩＣ４を実現することができる。
【００２５】
出力用バンプ電極端子１１は第１の出力用バンプ電極端子１２と第２の出力用バンプ電極端子１３とを含む。第１の出力用バンプ電極端子１２は駆動用ＩＣ４の一辺に対して各々平行に一直線状に配列されている。第２の出力用バンプ電極端子１３は第１の出力用バンプ電極端子１２よりも外側に（他方の長辺寄りに）各々第１の出力用バンプ電極端子１２の列に並行に一直線状に配列されている。以下、内側に配列された第１の出力用バンプ電極端子１２を内側端子１２と略称し、外側に配列された第２の出力用バンプ電極端子１３を外側端子１３と略称する。
【００２６】
本実施形態１では内側端子１２の端子面（第１端子面）よりも外側端子１３の端子面（第２端子面）の面積が大きくなるように内側端子１２及び外側端子１３が形成されている。尚、本明細書において、「端子面」とは表示回路基板６ｂに設けられた電極パッドと対向し、導電性微粒子を介して電極パッドと電気的に接続される面をいう。
【００２７】
具体的には、図２に示すように内側端子１２と外側端子１３との各々は一辺（詳細には短辺）が駆動用ＩＣ４の長辺に対して平行な矩形状である。駆動用ＩＣ４の短辺に対して平行な短辺の長さは内側端子１２、外側端子１３共にｈで共通である。駆動用ＩＣ４の長辺に対して平行な内側端子１２の長辺の長さがａであり、外側端子１３の長辺の長さがｂである。長さｂは長さｂよりも短い。
【００２８】
例えば、図５に示すような内側端子の端子面と外側端子の端子面とが同一形状・同一面積である従来の駆動用ＩＣ１００を異方性導電接着剤により液晶表示装置に実装する場合、内側端子よりも外側端子の方が接続の電気的信頼性が低くなる傾向にある。具体的には、内側端子よりも外側端子の方がトラップ数が少なくなる傾向にある。
【００２９】
尚、本明細書において「トラップ数」とは、駆動用ＩＣのバンプ電極端子と表示回路基板６ｂ上に設けられた電極パッドとにより捕捉される導電性微粒子の個数のことをいう。具体的には、異方性導電接着剤を用いて駆動用ＩＣを実装し、バンプ電極端子と電極パッドとにより捕捉された導電性微粒子の個数を電子顕微鏡によりカウントする（例えば、１００カ所カウントする）。その結果から捕捉された一対のバンプ電極端子と電極パットにより捕捉された導電性微粒子の個数の平均値（Ａｖｅ．）及びばらつき（σ）を計算する。そして、得られた平均値（Ａｖｅ．）からばらつき（σ）を三倍した値を差し引いた値（Ａｖｅ．−３σ）をトラップ数とする。
【００３０】
図３は駆動用ＩＣ１００を異方性導電接着剤により液晶表示装置に実装した場合のトラップ数（Ａｖｅ．−３σ）と整合比との関係を表すグラフである。尚、図３中１２で示す実線データが内側端子１２のデータであり、１３で示す実線データが外側端子１３のデータである。
【００３１】
図３に示すように、整合比が５０％以上９０％以下の全範囲において内側端子１２よりも外側端子１３の方がトラップ数が少ない傾向にある。すなわち、外側端子１３の方が内側端子１２よりも接続の電気的信頼性が低い傾向にある。また、内側端子１２に関しては整合比が小さい値であっても、整合比が大きい場合とほぼ同様のトラップ数であるが、外側端子１３に関しては整合比が小さくなるにつれてトラップ数が少なくなる傾向にある。特にその傾向は整合比が６０％以下の範囲で顕著である。
【００３２】
しかしながら、本実施形態１に係る駆動用ＩＣ４では、外側端子１３の端子面の面積が内側端子１２の端子面の面積よりも大きくなるように外側端子１３及び内側端子１２が形成されている。一般的に、外側端子１３による単位面積あたりのトラップ数は外側端子１３の端子面の面積とは相関せず、ほぼ一定である。このため、外側端子１３の端子面の面積を大きくすることによって外側端子１３のトラップ数を多くすることができる。従って、外側端子１３の端子面の面積を内側端子１２の端子面の面積よりも大きくすることによって外側端子１３の接続の電気的信頼性を向上することができる。
【００３３】
尚、整合比が６０％より大きい場合には、外側端子１３の端子面の面積が内側端子１２の端子面の面積の７／５以上であることが好ましい。言い換えれば、駆動用ＩＣ４の短辺方向に延びる外側端子１３の長辺の長さｂが駆動用ＩＣ４の短辺方向に延びる内側端子１２の長辺の長さａの７／５以上であることが好ましい。図３に示すように、整合比が６０％以上の範囲では外側端子１３のトラップ数は内側端子１２のトラップ数の７５％〜８５％程度である。このため、外側端子１３の端子面の面積を内側端子１２の端子面の面積の７／５以上とすることで外側端子１３のトラップ数を内側端子１２のトラップ数と同程度またはそれ以上にすることができる。
【００３４】
同様に、整合比が５０％以上６０％以下である場合には、外側端子１３の端子面の面積が内側端子１２の端子面の面積の７／３以上であることが好ましい。言い換えれば、駆動用ＩＣ４の短辺方向に延びる外側端子１３の長辺の長さｂが駆動用ＩＣ４の短辺方向に延びる内側端子１２の長辺の長さａの７／３以上であることが好ましい。図３に示すように、整合比が５０％以上６０％以下の範囲では外側端子１３のトラップ数は内側端子１２のトラップ数の４０％〜７５％程度である。このため、外側端子１３の端子面の面積を内側端子１２の端子面の面積の７／３以上とすることで外側端子１３のトラップ数を内側端子１２のトラップ数と同程度またはそれ以上にすることができる。
【００３５】
上述のように、どのような整合比においても外側端子１３の端子面と内側端子１２の端子面との面積が同一である場合のトラップ数は外側端子１３の方が内側端子１２よりも少なくなる。このため、本実施形態１のように外側端子１３の端子面の面積を内側端子１２の端子面の面積よりも大きくすることによって、どのような整合比の駆動用ＩＣ４においても外側端子１３の接続の電気的信頼性を向上する効果が得られる。中でも、外側端子１３のトラップ数が少なくなる整合比の小さい範囲において特に大きな効果が得られる。
【００３６】
（実施形態２）実施形態２に係る液晶表示装置は実装された駆動用ＩＣのバンプ電極端子の構成を除いて実施形態１に係る液晶表示装置１と同様の構成を有する。ここでは実施形態１とは異なる駆動用ＩＣのバンプ電極端子部分について説明する。尚、本実施形態２の説明において、図１は共通に参照する。また、実質的に同じ機能を有する構成要素を共通に参照符号で説明し、説明を省略する。
【００３７】
図４は実施形態２における駆動用ＩＣ２０の背面図である。
【００３８】
駆動用ＩＣ２０も、実施形態１に係る駆動用ＩＣ４と同様に、一列に配列された入力用バンプ電極端子１０と二列に配列された出力用バンプ電極端子１１とを有する。出力用バンプ電極端子１１は内側端子１２と外側端子１３とにより構成されている。また、外側端子１３の端子面の面積が内側端子１２の端子面の面積よりも大きくなるように外側端子１３及び内側端子１２が形成されている。従って、外側端子１３の接続の電気的信頼性を実現することができる。
【００３９】
本実施形態２では、内側端子１２の各々と外側端子１３の各々とが駆動用ＩＣ２０の長辺に沿って千鳥状に配置されている。このため、駆動用ＩＣ２０では、出力用バンプ電極端子１１への配線（特に外側端子１３への配線）が容易である。
【００４０】
例えば、図２に示す駆動用ＩＣ４では隣接する内側端子１２の間を経由させて外側端子１３へ配線しなければならないため、外側端子１３への配線を細く且つ折れ曲げ形状にしなければならない。一方、図４に示す本実施形態２に係る駆動用ＩＣ２０では、外側端子１３が隣接する内側端子１２の間に配置されている。このため、外側端子１３への配線を比較的太く、且つ直線状にすることができる。
【００４１】
尚、上述した実施形態１及び２では、出力用バンプ電極端子１１が二列に配列されており、入力用バンプ電極端子１０は一列に配列されている。本発明はこの構成に限定されるものではなく、例えば入力用バンプ電極端子１０を二列に配列し、出力用バンプ電極端子１１を一列に配列してもよい。また、入力用バンプ電極端子１０及び出力用バンプ電極端子１１の双方を二列に配列してもよい。
【００４２】
実施形態１及び２では、内側端子よりも外側端子の方が駆動用ＩＣの短辺に並行な長辺の長さが長くなるように、内側端子及び外側端子が形成されている。本発明はこの構成に限定されるものではない。内側端子の端子面よりも外側端子の端子面の面積が大きければよく、例えば、内側端子よりも外側端子の方が駆動用ＩＣの長辺に平行な短辺の長さが長くなるように、内側端子及び外側端子を形成してもよい。また、内側端子の端子面よりも外側端子の端子面の面積が大きければ、内側端子、外側端子の端子面の形状は矩形に限定されない。例えば、端子面の形状は角部が面取り又はＲ面取りされた矩形、楕円形、円形、多角形等であってもよい。
【産業上の利用可能性】
【００４３】
以上説明したように、本発明に係る駆動用ＩＣは、高い電気的信頼性で実装することができるため、液晶表示装置、有機エレクトロルミネッセンス表示装置、無機エレクトロルミネッセンス表示装置、プラズマ表示装置、フィールドエミッション表示装置等の表示装置等に有用である。
【図面の簡単な説明】
【００４４】
【図１】実施形態１に係る液晶表示装置１の要部の構成を模式的に表す平面図である。
【図２】駆動用ＩＣ４の背面図である。
【図３】駆動用ＩＣ１００を異方性導電接着剤により液晶表示装置に実装した場合のトラップ数（Ａｖｅ．−３σ）と整合比との関係を表すグラフである。
【図４】実施形態２における駆動用ＩＣ２０の背面図である。
【図５】従来の駆動用ＩＣ１００の底面図である。
【符号の説明】
【００４５】
１      液晶表示装置
２      表示領域
３      ＩＣ実装領域
４、２０      駆動用ＩＣ
５      ＦＰＣ基板
６ａ、６ｂ    基板
１０      入力用バンプ電極端子
１１      出力用バンプ電極端子
１２      内側端子
１３      外側端子
【図１】
2006337829.tif 000003
【図２】
2006337829.tif 000004
【図３】
2006337829.tif 000005
【図４】
2006337829.tif 000006
【図５】
2006337829.tif 000007